(57)【要約】【課題】消費電力を抑えた無線通信端末装置及び無線通信制御方法を提供する。【解決手段】判定部４００は、チャネル推定部４３１及び回転量推定部４３４を含む。チャネル推定部４３１及び回転量推定部４３４は、判定部４００の無線通信端末装置１００の移動状態を検出する。セルサーチ部１４１は、判定部４００のチャネル推定部４３１及び回転量推定部４３４により計測された移動状態を基に、無線測定頻度を変更してスモールセルの検出処理を実行する。【選択図】図４
2015104087.tif 000002
【特許請求の範囲】
【請求項１】
自装置の移動状態を検出する移動状態検出部と、
前記移動状態検出部により検出された移動状態を基に、無線測定頻度を変更してスモールセルの検出処理を実行するセル検出部と
を備えたことを特徴とする無線通信端末装置。
【請求項２】
前記セル検出部は、前記移動状態検出部により移動速度が第１閾値以上と判定された場合、移動速度が前記第１閾値未満の場合に比べて前記無線測定頻度を低くすることを特徴とする請求項１に記載の無線通信端末装置。
【請求項３】
前記セル検出部は、移動速度が前記第１閾値以上の場合、前記無線測定頻度を第１実行頻度とし、移動速度が前記第１閾値未満第２閾値以上の場合、前記無線測定頻度を前記第１実行頻度よりも高い第２実行頻度とし、移動速度が前記第２閾値未満の場合、前記無線測定頻度を前記第２実行頻度より低い第３実行頻度とすることを特徴とする請求項２に記載の無線通信端末装置。
【請求項４】
前記セル検出部は、移動速度が前記第１閾値以上の場合、前記無線測定頻度を第１実行頻度とし、移動速度が第１閾値未満で且つ予め決められたスモールセル群の中に在圏する場合、前記無線測定頻度を前記第１実行頻度よりも高い第２実行頻度とし、移動速度が前記第１閾値未満で且つ前記スモールセル群の中に在圏しない場合、前記無線測定頻度を前記第２実行頻度より低い第３実行頻度とすることを特徴とする請求項２に記載の無線通信端末装置。
【請求項５】
前記セル検出部は、前記移動状態検出部により移動速度が、所定の閾値未満と判定された場合、移動速度が前記所定の閾値以上の場合に比べて前記無線測定頻度を低くすることを特徴とする請求項１に記載の無線通信端末装置。
【請求項６】
前記移動状態検出部は、マクロ基地局の各アンテナから出力されるデータチャネルの同期に用いる複数の信号を用いて移動状態を判定することを特徴とする請求項１〜５のいずれか一つに記載の無線通信端末装置。
【請求項７】
前記移動状態検出部は、データチャネルの同期に用いる信号の複素ベクトルがなす角度を用いて移動速度を測定することを特徴とする請求項６に記載の無線通信端末装置。
【請求項８】
前記移動状態検出部は、相関関数を用いてデータチャネルの同期に用いる信号間の複素回転ベクトルを求め、求めた前記複素回転ベクトルからデータチャネルの同期に用いる信号の複素ベクトルがなす角度を求めることを特徴とする請求項７に記載の無線通信端末装置。
【請求項９】
前記移動状態検出部は、温度及び電池電圧により前記相関関数を変更することを特徴とする請求項８に記載の無線通信端末装置。
【請求項１０】
自装置の移動状態を検出し、
計測した移動状態を基に、無線測定頻度を変更してスモールセルの検出処理を実行する
ことを特徴とする無線通信制御方法。
【発明の詳細な説明】
【技術分野】
【０００１】
本発明は、無線通信端末装置及び無線通信制御方法に関する。
【背景技術】
【０００２】
従来、移動通信システムにおける伝送容量（以下では、「システム容量」と呼ばれることがある。）を増大させるために、様々な工夫がなされている。例えば、３ＧＰＰ  ＬＴＥ（3rd  Generation  Partnership  Project  Radio  Access  Network  Long  Term  Evolution）では、「マクロセル」の他に「スモールセル」を活用してシステム容量を増大させる技術に関する議論が行われている。ここで、「セル」は、１つの基地局の「通信エリア」と「チャネル周波数」とに基づいて規定される。「通信エリア」とは、基地局から送信された電波が到達するエリア（以下では、「射程エリア」と呼ばれることがある。）の全体でもよいし、射程エリアが分割された分割エリア（所謂、セクタ）であってもよい。また、「チャネル周波数」とは、基地局が通信に使用する周波数の一単位であり、中心周波数と帯域幅とに基づいて規定される。また、チャネル周波数は、システム全体に割り当てられている「オペレーティング帯域」の一部である。そして、「マクロセル」は、高い送信電力で送信可能な基地局、つまり射程エリアの大きい基地局のセルである。また、「スモールセル」は、低い送信電力で送信する基地局、つまり射程エリアの小さい基地局のセルである。
【０００３】
携帯電話などの無線通信端末装置（User  Equipment：ＵＥ）を有する移動通信システムにおいて、このようなマクロセル及びスモールセルを用いることが検討されている。マクロセルは、半径数１００ｍ〜数１０ｋｍの通信エリアを有する。また、スモールセルは、１００ｍ〜２００ｍ程度の通信エリアを有する。スモールセルは、例えば、マクロセル同士の境界領域、ビルの中、地下街など、電波が届きにくい場所をカバーするために用いられる。また、スモールセルは、マクロセル内に形成されることもある。
【０００４】
さらに、マクロセルとスモールセルとがお互いに干渉しないように、マクロセルのチャネル周波数とスモールセルのチャネル周波数とを異ならせる技術がある。この場合、無線通信端末装置は、マクロセルのチャネル周波数と異なるチャネル周波数のスモールセルを検出するために、周波数間測定ギャップ（inter-freq  measurement  gap）を使用した無線測定を行う。
【０００５】
一方、Home  eNode  B（ＨｅＮＢ）セルを検出する技術として、バッテリー消費を抑えるため、フィンガープリントを利用して無線通信端末装置がＨｅＮＢセルの検出を行う技術がある。フィンガープリントを利用したＨｅＮＢセルの検出は以下のような手順で行われる。
【０００６】
無線通信端末装置は、アクセス可能なＨｅＮＢセルの位置情報を記憶する。この位置情報が「フィンガープリント」と呼ばれる情報である。そして、無線通信端末装置は、記憶した位置情報と一致する位置に戻ってきた場合に、自装置がアクセス権のあるセルの近傍に入ったことを知らせるメッセージであるProximity  identificationをマクロ基地局に通知する。この通知を受けたマクロ基地局は、無線通信端末装置に、アシスト情報を送信する。アシスト情報を受信した無線通信端末装置は、ＨｅＮＢセルのチャネル周波数への無線測定手順が起動され、無線通信端末装置はＨｅＮＢセルを発見することができる。
【０００７】
なお、フィンガープリントを用いて周辺セルの有無を判定し、その後経過時間に応じて以前に在圏したＣＳＧ（Closed  Subscriber  Group）セルに対するサーチ（オートノマスサーチ）及び通常のサーチの頻度を変更する従来技術がある。また、特定の無線信号を受信している場合にはセルサーチの頻度及び受信レベルの測定の頻度を下げる従来技術がある。
【先行技術文献】
【特許文献】
【０００８】
【特許文献１】特開２０１２−４４３６７号公報
【特許文献２】特開２００７−２７８７７号公報
【発明の概要】
【発明が解決しようとする課題】
【０００９】
しかしながら、マクロ基地局は、無線通信端末装置がスモールセルの近傍に存在するか否かといった無線通信端末装置の位置を認識していない。そのため、無線通信端末装置の状態に関らず、フィンガープリントによる位置情報を基に、無線通信端末装置においてスモールのチャネル周波数への無線測定手順が起動されてしまう。例えば、スモールセルから離れた無線通信端末装置で、且つ無線通信端末装置が移動していない場合に、その無線通信端末装置がスモールセルの無線測定を行った場合、スモールセルの発見までに時間が掛かる。その場合、無線通信端末装置は、その間異周波数（Inter-frequency）の無線測定を繰り返すことになり、無線通信端末装置のバッテリー消費が大きくなってしまう。また、無線通信端末装置の移動が大きい場合には、対象となるスモールセルが次々変わっていくため、やはりスモールセルの発見までに時間が掛かる。その場合も、無線通信端末装置は、その間異周波数の無線測定を繰り返すことになり、無線通信端末装置のバッテリー消費が大きくなってしまう。
【００１０】
そして、フィンガープリントによる周辺セルの検出後、サーチの頻度を経過時間に応じて変更する従来技術においても、スモールセルの移動状態は考慮されておらず、無線通信端末のバッテリー消費を抑えることは困難である。また、特定の無線信号を受信している間測定の頻度を下げる従来技術においても、スモールセルの移動状態は考慮されておらず、無線通信端末のバッテリー消費を抑えることは困難である。
【００１１】
開示の技術は、上記に鑑みてなされたものであって、消費電力を抑えた無線通信端末装置及び無線通信制御方法を提供することを目的とする。
【課題を解決するための手段】
【００１２】
本願の開示する無線通信端末装置及び無線通信制御方法は、一つの態様において、移動状態検出部は、自装置の移動状態を検出する。セル検出部は、前記移動状態検出部により計測された移動状態を基に、無線測定頻度を変更してスモールセルの検出処理を実行する。
【発明の効果】
【００１３】
本願の開示する無線通信端末装置及び無線通信制御方法の一つの態様によれば、消費電力を抑えることができるという効果を奏する。
【図面の簡単な説明】
【００１４】
【図１】図１は、実施例１に係る移動通信システムの一例を示す図である。
【図２】図２は、無線通信端末装置のハードウェア構成図である。
【図３】図３は、ＬＳＩ構成の一例を示す図である。
【図４】図４は、判定部のブロック図である。
【図５】図５は、隣接ＲＳシンボル間の相関値の算出の概要を表す図である。
【図６】図６は、隣接ＲＳシンボル間の相関値の算出の一例を示す図である。
【図７】図７は、回転量推定部により求められる回転角θＲＳを説明するための図である。
【図８】図８は、実施例１に係るセルサーチ制御のフローチャートである。
【図９】図９は、実施例２に係るセルサーチ制御のフローチャートである。
【図１０】図１０は、移動通信システムの他の例を示す図である。
【発明を実施するための形態】
【００１５】
以下に、本願の開示する無線通信端末装置及び無線通信制御方法の実施例を図面に基づいて詳細に説明する。なお、以下の実施例により本願の開示する無線通信端末装置及び無線通信制御方法が限定されるものではない。
【実施例１】
【００１６】
図１は、実施例１に係る移動通信システムの一例を示す図である。図１に示すように本実施例に係る移動通信システムは、スモール基地局１により形成されるスモールセル１０、マクロ基地局２により形成されるマクロセル２０、及び無線通信端末装置（ＵＥ）１００を有する。以下では、無線通信端末装置１００をＵＥ１００という。
【００１７】
本実施例では、マクロセル２０の中に複数のスモールセル１０が存在している。さらに、移動通信システムは、複数のスモールセル１０の１群を含むＣＳＧセルエリア３０を有している。さらに、本実施例では、マクロセル２０とスモールセル１０とはそれぞれ異なるチャネル周波数を有している。
【００１８】
また、ＵＥ１００は、スモール基地局１又はマクロ基地局２と通信を行うことで、他のＵＥとの間の通信を行う。
【００１９】
図２は、無線通信端末装置のハードウェア構成図である。ＵＥ１００は、アンテナ１０１及び１０２、Radio  Frequency（ＲＦ）部１０３、ベースバンド部１０４、Central  Processing  Unit（ＣＰＵ）１０５、並びに、アプリケーション用チップ１０６を有している。さらに、ＵＥ１００は、外部Interface（ＩＦ）１０７、スピーカ／マイク１０８及びLiquid  Crystal  Display（ＬＣＤ）１０９を有している。ベースバンド部１０４は、Large  Scale  Integration（ＬＳＩ）により形成されている。
【００２０】
アンテナ１０１及び１０２は、Orthogonal  Frequency  Division  Multiplexing（ＯＦＤＭ）信号である無線信号を受信しＲＦ部１０３へ出力する。また、アンテナ１０１及び１０２は、ＲＦ部１０３から送信されたＯＦＤＭ信号である無線信号を、スモール基地局１又はマクロ基地局２のうち接続している基地局装置へ向けて送出する。
【００２１】
ＲＦ部１０３は、アンテナ１０１又は１０２を介して受信した受信信号に対して所定の受信無線処理を施す。受信無線処理は、例えば、無線周波数信号を中間周波数信号へ変換するダウンコンバート等を含む。そして、ＲＦ部１０３は、受信無線処理後の受信信号をベースバンド部１０４へ出力する。
【００２２】
また、ＲＦ部１０３は、ベースバンド部１０４から受け取る送信信号に対して所定の送信無線処理を施して無線信号を生成する。送信無線処理は、例えば、中間周波数信号を無線周波数信号へ変換するアップコンバート等を含む。そして、ＲＦ部１０３は、生成した無線信号をアンテナ１０１又は１０２を介して送信する。
【００２３】
ベースバンド部１０４は、信号の受信の場合、受信信号である中間周波数信号の入力をＲＦ部１０３から受ける。そして、ベースバンド部１０４は、受信した中間周波数信号に対してベースバンド処理を行う。その後、ベースバンド部１０４は、ベースバンド処理を施した信号をＣＰＵ１０５又はアプリケーション用チップ１０６へ出力する。
【００２４】
また、ベースバンド部１０４は、信号の送信の場合、送信信号である中間周波数信号の入力をＣＰＵ１０５又はアプリケーション用チップ１０６から受ける。そして、ベースバンド部１０４は、受信した中間周波数信号に対してベースバンド処理を行う。その後、ベースバンド部１０４は、ベースバンド処理を施した信号をＲＦ部１０３へ出力する。ベースバンド部１０４によるベースバンド処理については後で詳細に説明する。
【００２５】
ＣＰＵ１０５は、ベースバンド用のＣＰＵである。信号の受信の場合、ＣＰＵ１０５は、ベースバンド処理が施された信号の入力をベースバンド部１０４から受信する。そして、ＣＰＵ１０５は、受信した信号で指定されている処理などに応じて、その信号を処理する。例えば、ＣＰＵ１０５は、受信した信号から格納場所の情報を取得する。例えば、受信した信号が外部メモリへのデータの格納要求の場合、ＣＰＵ１０５は、外部ＩＦ１０７に接続されている外部メモリへのデータを格納する。
【００２６】
信号の送信の場合、ＣＰＵ１０５は、操作者から入力された指示に従い、データを取得する。例えば、外部メモリからのデータの読み出しを指示された場合、ＣＰＵ１０５は、外部ＩＦ１０７を介して外部メモリからデータを読み出す。そして、ＣＰＵ１０５は、取得したデータを含む信号をベースバンド部１０４へ出力する。
【００２７】
また、ＣＰＵ１０５は、受信信号におけるエラーレートの測定などを行う。そして、ＣＰＵ１０５は、エラーレートを報告する信号をベースバンド部１０４へ出力する。
【００２８】
外部ＩＦ１０７は、ＣＰＵ１０５に接続されている。そして、外部ＩＦ１０７は、ＣＰＵ１０５と外部メモリなどの外部装置との間のデータの送受信の仲介を行う。
【００２９】
アプリケーション用チップ１０６は、無線通信端末装置１００のアプリケーションを実行する。例えば、アプリケーション用チップ１０６は、ベースバンド部１０４から受信した信号を音声に変えて、スピーカ／マイク１０８を用いて出力する。また、アプリケーション用チップ１０６は、スピーカ／マイク１０８からの音声入力を受けて、音声を信号に変えてベースバンド部１０４へ出力する。また、アプリケーション用チップ１０６は、ベースバンド部１０４から入力されたデータをＬＣＤ１０９へ表示する。
【００３０】
次に、図３を参照して、ベースバンド部１０４の詳細について説明する。図３は、ＬＳＩ構成の一例を示す図である。図３に示すように、ＬＳＩで形成されるベースバンド部１０４は、Radio  Frequency-Intermediate  Frequency（ＲＦ−ＩＦ）部２０１、セルサーチ部１４１、復調部１４２、デコード部１４３、変調部１４４、コーデック部１４５、ＩＦ部２０２を有している。
【００３１】
ＲＦ−ＩＦ部２０１は、ＲＦ部１０３から無線信号の入力を受ける。そして、ＲＦ−ＩＦ部２０１は、受信した無線信号に対してダウンコンバートを行い中間周波数信号に変換する。さらに、ＲＦ−ＩＦ部２０１は、生成した中間周波数信号をアナログ信号からデジタル信号に変換する。その後、ＲＦ−ＩＦ部２０１は、デジタル信号にした中間周波数信号をセルサーチ部１４１へ出力する。
【００３２】
また、ＲＦ−ＩＦ部２０１は、変調部１４４から中間周波数信号の入力を受ける。そして、ＲＦ−ＩＦ部２０１は、受信した中間周波数信号をデジタル信号からアナログ信号に変換する。さらに、ＲＦ−ＩＦ部２０１は、アナログ信号にした中間周波数信号をアップコンバートし無線信号に変換する。その後、ＲＦ−ＩＦ部２０１は、生成した無線信号をＲＦ部１０３へ出力する。
【００３３】
セルサーチ部１４１は、所定の間欠受信間隔で、受信信号を用いて周辺セルの検出を行う。周辺セルの検出は以下のように行う。例えば、セルサーチ部１４１は、通常サーチとして、所定の品質閾値を上回る電波を送信する基地局の有無を検出する。所定の品質閾値を上回る電波を送信する基地局が検出された場合、言い替えると、装置が何らかの基地局の圏内にあると判断した場合、その基地局を待ち受け基地局として選択し、装置が圏内にある旨をＣＰＵ１０５に通知して動作を終了する。また、所定時間に渡って動作したにも拘らず所定の品質閾値を上回る電波を送信する基地局が検出されない場合、その旨をＣＰＵ１０５に通知して間欠動作を終了する。
【００３４】
また、セルサーチ部１４１は、ＣＰＵ１０５から取得したフィンガープリントを用いて周辺セルの有無を判定する。そして、セルサーチ部１４１は、以前に在圏したＣＳＧセルに対するオートノマスサーチを行う。ただし、セルサーチ部１４１は、後述するようにオートノマスサーチの頻度の指定を受けて、指定された頻度でオートノマスサーチを行う。オートノマスサーチの頻度の指定については、後で詳細に説明する。
【００３５】
セルサーチ部１４１は、周辺セルの検出により、周辺セルのセル（Identification）ＩＤやフレームタイミング等を取得する。セルサーチ部１４１は、取得した情報をＣＰＵ１０５へ出力する。
【００３６】
さらに、セルサーチ部１４１は、ＲＦ−ＩＦ部２０１から受信した中間周波数信号を復調部１４２へ出力する。
【００３７】
復調部１４２は、受信信号である中間周波数信号をセルサーチ部１４１から受信する。次に、復調部１４２は、受信無線部２２２から受け取った受信信号に対して離散フーリエ変換処理を施し、さらに高速フーリエ変換処理を施す。そして、復調部１４２は、高速フーリエ変換処理を施した受信信号を復調する。その後、復調部１４２は、復調後の受信信号をデコード部１４３へ出力する。
【００３８】
デコード部１４３は、復調後の受信信号の入力を復調部１４２から受ける。次に、デコード部１４３は、受信信号に対して復号処理を施す。そして、デコード部１４３は、復号後の受信信号をＣＰＵ１０５又はアプリケーション用チップ１０６へ出力する。
【００３９】
ＩＦ部２０２は、ＣＰＵ１０５及びアプリケーション用チップ１０６と入出力部２１０との通信インタフェースである。
【００４０】
入出力部２１０は、図２の外部ＩＦ１０７、スピーカ／マイク１０８及びＬＣＤ１０９などである。
【００４１】
コーデック部１４５は、送信信号の入力をＣＰＵ１０５又はアプリケーション用チップ１０６から受ける。そして、コーデック部１４５は、受信した送信信号に対して符号化処理を施す。その後、コーデック部１４５は、符号化処理を施した送信信号を変調部１４４へ出力する。
【００４２】
変調部１４４は、符号化処理が施された送信信号の入力をコーデック部１４５から受ける。次に、変調部１４４は、受信した符号化処理後の信号を変調する。次に、変調部１４４は、変調後の情報シンボル系列をDiscrete  Fourier  Transform（ＤＦＴ）処理する。さらに、変調部１４は、信号に逆高速フーリエ変換（Inverse  Fast  Fourier  Transform：ＩＦＦＴ）処理を施して、ＯＦＤＭ信号を生成する。その後、変調部１４４は、生成したＯＦＤＭ信号をＲＦ−ＩＦ部２０１へ出力する。
【００４３】
さらに、ベースバンド部１０４におけるセルサーチ部１４１、復調部１４２及びデコード部１４３、並びに、ＣＰＵ１０５は、判定部４００を形成する。判定部４００は、無線通信端末装置１００の移動状態を判定し、セルサーチ部１４１が行うオートマノスサーチ及びマクロセルサーチの実行頻度を決定する機能を有する。この判定部４００が、「移動状態検出部」の一例にあたる。
【００４４】
ここで、ＲＦ部１０３及びベースバンド部１０４は、図３では、それぞれ別々のＬＳＩとして設計される場合で説明したが、ＲＦ部１０３及びベースバンド部１０４が単一のＬＳＩとして設計されてもよい。また、ＲＦ−ＩＦ部２０１は、ベースバンド部１０４の外に出して、ベースバンド部１０４とは異なるＬＳＩで構成されても良い。
【００４５】
図４は、判定部のブロック図である。図４では、ベースバンド部１０４における判定部４００の機能を実現するための各部を抜き出して記載している。図４では、ＲＦ部１０３などについては記載を省略している。また、アンテナ１０１及び１０２もまとめて１本のアンテナとして記載している。
【００４６】
判定部４００は、Discrete  Fourier  Transform（ＤＦＴ）部４０１、Fast  Fourier  Transform（ＦＦＴ）部４０２、Reference  Signal  Received  Power（ＲＳＲＰ）測定部４０３及び移動状態判定部４０４を有している。
【００４７】
ＤＦＴ部４０１は、受信信号に対して離散フーリエ変換処理を施す。そして、ＤＦＴ部４０１は、離散フーリエ変換処理を施した信号をＦＦＴ部４０２へ出力する。
【００４８】
ＦＦＴ部４０２は、離散フーリエ変換処理が施された信号をＤＦＴ部４０１から受信する。そして、ＦＦＴ部４０２は、受信した信号に高速フーリエ変換処理を施す。その後、ＦＦＴ部４０２は、高速フーリエ変換処理を施した信号をＲＳＲＰ測定部４０３へ出力する。
【００４９】
ＲＳＲＰ測定部４０３は、チャネル推定部４３１、時間変動推定部４３２、電力測定部４３５を有している。時間変動推定部４３２は、回転補正部４３３及び回転量推定部４３４を有している。
【００５０】
チャネル推定部４３１は、ＦＦＴ部４０２により高速フーリエ変換処理が施され周波数領域に変換された信号の入力を受ける。そして、チャネル推定部４３１は、受信した信号からリファレンス信号を取得する。
【００５１】
ここで、マクロ基地局２は、２つのアンテナを有する。そして、マクロ基地局２は、Ｉ信号とＱ信号とをそれぞれ異なるアンテナから送信する。Ｉ信号とＱ信号とは、異なる２種類のリファレンス信号を有する。そのため、チャネル推定部４３１は、受信信号であるＩ信号及びＱ信号から２種類のリファレンス信号を取得することになる。以下では、２種類のリファレンス信号を「ＲＳ１」及び「ＲＳ２」として説明する。
【００５２】
そして、チャネル推定部４３１は、取得したリファレンス信号により、ダウンリンクにおける伝搬路のチャネル値を推定する。チャネル推定部４３１は、例えば、リファレンス信号のキャンセル処理等を行って、ダウンリンクにおける伝搬路のチャネル値を算出する。
【００５３】
チャネル推定部４３１は、求めたチャネルの情報及び受信信号を回転補正部４３３へ出力する。
【００５４】
また、チャネル推定部４３１は、隣り合うＲＳ１のシンボル及びＲＳ２のシンボルを用いて、ＲＳ１のシンボルとＲＳ２のシンボルのうち隣接するＲＳシンボル間の相関値を求める。隣接するＲＳシンボルを「隣接ＲＳシンボル」と言う。相関値は、例えば、ＲＳ１とＲＳ２とによる複素回転ベクトルで表される。
【００５５】
ここで、図５及び図６を参照して相関値の算出の一例について説明する。図５は、隣接ＲＳシンボル間の相関値の算出の概要を表す図である。図５の上部の矢印は時間の経過を表している。また、図６は、隣接ＲＳシンボル間の相関値の算出の一例を示す図である。
【００５６】
例えば、チャネル推定部４３１は、図５の信号５０１のヘッダに格納されているリファレンス信号であるＲＳ１を取得する。次に、チャネル推定部４３１は、信号５０２のヘッダに格納されているリファレンス信号であるＲＳ２を取得する。次に、チャネル推定部４３１は、信号５０３のヘッダに格納されているリファレンス信号であるＲＳ１を取得する。次に、チャネル推定部４３１は、信号５０４のヘッダに格納されているリファレンス信号であるＲＳ２を取得する。このように、チャネル推定部４３１は、ＲＳ１及びＲＳ２を交互に取得していく。
【００５７】
そして、チャネル推定部４３１は、例えば信号５０１及び５０２などといった連続する信号のＲＳ１及びＲＳ２信号における隣り合うそれぞれのＲＳシンボルを取得する。
【００５８】
その後、チャネル推定部４３１は、取得したＲＳ１及びＲＳ２の隣接ＲＳシンボルに対して演算処理５１０を施すことで、それぞれ隣り合うＲＳ１及びＲＳ２における隣接ＲＳシンボルの相関値５１１〜５１３を算出する。
【００５９】
図５では、一例として、チャネル推定部４３１が４つの信号５０１〜５０４のリファレンス信号から相関値５１１〜５１３を求める場合を示したが、信号は信号５０４の後も続いており、チャネル推定部４３１は、信号がなくなるまで相関値の算出を行う。
【００６０】
ここで、チャネル推定部４３１による相関値の算出についてさらに詳細に説明する。例えば、チャネル推定部４３１は、次の数式（１）に示すようなＲＳシンボル間の相関値を算出するための関数を記憶している。この数式（１）が図５における演算処理５１０の一例にあたる。
【００６１】
【数１】
2015104087.tif 000003
【００６２】
ここで、「ｂ」は受信アンテナ番号である。また、「ｎ」は、受信スロットのスロット番号である。さらに、「ｓ」は、各信号のシンボル番号である。
【００６３】
そして、例えば、チャネル推定部４３１は、図６に示すように、ＲＳ１及びＲＳ２の同じシンボル番号のＲＳシンボルに対して数式（１）を用いることで、それらのＲＳシンボル間の相関値を算出する。図６における、ｃ（ｂ，ｎ，ｓ）は、対応するスロットにおける各ＲＳシンボル間の相関値を表している。例えば、相関値５２０は、受信アンテナ番号が１番のアンテナで受信された信号のリファレンス信号を用いた場合の、スロット番号が１番のスロットにおけるシンボル番号が１番のＲＳシンボル間の相関値を表している。
【００６４】
そして、チャネル推定部４３１は、求めた隣接ＲＳシンボル間の相関値であるｃ（ｂ，ｎ，ｓ）を回転量推定部４３４へ出力する。
【００６５】
回転補正部４３３は、受信信号の入力をチャネル推定部４３１から受ける。さらに、回転補正部４３３は、受信信号のＲＳ１とＲＳ２との回転角の入力を回転量推定部４３４から受ける。そして、回転補正部４３３は、受信した回転角を用いて、受信信号のＩ信号及びＱ信号の位相誤差を補正する。
【００６６】
回転補正部４３３は、補正した受信信号を電力測定部４３５へ出力する。
【００６７】
回転量推定部４３４は、次の数式（２）を記憶している。数式（２）は、隣接ＲＳシンボル間の相関値を用いて隣接リファレンス信号間の回転角を求める関数である。
【００６８】
【数２】
2015104087.tif 000004
【００６９】
ここで、θＲＳは、図７に示すような受信アンテナ番号がｂの場合のＲＳ１を表す複素ベクトル及びＲＳ２を表す複素ベクトルによる回転角を表す。図７は、回転量推定部により求められる回転角θＲＳを説明するための図である。
【００７０】
回転量推定部４３４は、隣接ＲＳシンボル間の相関値であるｃ（ｂ，ｎ，ｓ）をチャネル推定部４３１から取得する。そして、回転量推定部４３４は、取得した隣接ＲＳシンボル間の相関値であるｃ（ｂ，ｎ，ｓ）を数式（２）に用いて回転角θＲＳを求める。これにより、回転量推定部４３４は、ＲＳ１を表す複素ベクトルと及びＲＳ２を表す複素ベクトルのなす角である回転角θＲＳを求めることができる。
【００７１】
回転量推定部４３４は、算出した回転角θＲＳを回転補正部４３３及び移動状態判定部４０４へ出力する。
【００７２】
移動状態判定部４０４は、回転角の閾値を記憶している。移動状態判定部４０４は、回転角θＲＳの入力を回転量推定部４３４から受ける。そして、移動状態判定部４０４は、受信した回転角θＲＳが閾値以上か否かを判定する。
【００７３】
回転角θＲＳが閾値以上の場合、移動状態判定部４０４は、移動速度が高速と判定する。この場合、移動状態判定部４０４は、移動速度が高速である旨をセルサーチ部１４１へ通知する。
【００７４】
回転角θＲＳが閾値未満の場合、移動状態判定部４０４は、移動速度が低速と判定する。この場合、移動状態判定部４０４は、移動速度が低速である旨をセルサーチ部１４１へ通知する。
【００７５】
ここで、本実施例では、移動状態判定部４０４は、移動速度を検出したが、判定基準はＵＥ１００の移動状態が把握できれば速度でなくてもよい。例えば、移動状態判定部４０４は、ＵＥ１００の移動状態を移動が大きい又は小さいなどと判定してもよい。
【００７６】
セルサーチ部１４１は、ＵＥ１００がマクロセル２０内に在圏するか否かを判定する。マクロセル２０内に在圏しない場合、セルサーチ部１４１は、スモールセル１０及びマクロセル２０から信号を受信し、受信信号の強度から接続可能なセルを検出する通常のサーチを行う。
【００７７】
また、ＵＥ１００がマクロセル２０内に在圏する場合、セルサーチ部１４１は、ＵＥ１００がオートノマスサーチエリア内に在圏するか否かを判定する。オートノマスサーチエリアに在圏しない場合、セルサーチ部１４１は、ＵＥ１００がＣＳＧセルエリア３０内に在圏するか否かを判定する。
【００７８】
ＣＳＧセルエリア３０内に在圏する場合、セルサーチ部１４１は、オートノマスサーチの実行頻度を通常の頻度である頻度Ａに設定する。この場合、セルサーチ部１４１は、マクロセルのサーチを実行しても停止してもよい。
【００７９】
これに対して、ＣＳＧセルエリア３０の外にＵＥ１００が在る場合、セルサーチ部１４１は、オートノマスサーチの実行頻度を頻度Ａよりも低い頻度Ｃに設定する。ここで、頻度Ｃには、オートノマスサーチを停止する場合も含まれる。この場合、セルサーチ部１４１は、マクロセルのサーチを実行しても停止してもよい。
【００８０】
一方、オートノマスサーチエリアに在圏する場合、セルサーチ部１４１は、移動状態判定部４０４からＵＥ１００の移動速度が高速又は低速のいずれであるかの通知を受ける。
【００８１】
移動速度が高速である旨の通知を受けた場合、セルサーチ部１４１は、オートノマスサーチの実行頻度を通常のオートノマスサーチの頻度である頻度Ａよりも低い頻度Ｂに設定する。ここで、頻度Ｂには、オートノマスサーチを停止する場合も含まれる。また、この場合、セルサーチ部１４１は、マクロセルのサーチを行う。
【００８２】
移動速度が高速である旨の通知を受けた場合、セルサーチ部１４１は、ＵＥ１００がＣＳＧセルエリア３０内に在圏するか否かを判定する。
【００８３】
ＣＳＧセルエリア３０内に在圏する場合、セルサーチ部１４１は、オートノマスサーチの実行頻度を通常の頻度である頻度Ａに設定する。この場合、セルサーチ部１４１は、マクロセルのサーチを実行しても停止してもよい。
【００８４】
これに対して、ＣＳＧセルエリア３０の外にＵＥ１００が在る場合、セルサーチ部１４１は、オートノマスサーチの実行頻度を頻度Ａよりも低い頻度Ｃに設定する。ここで、頻度Ｃには、オートノマスサーチを停止する場合も含まれる。この場合、セルサーチ部１４１は、マクロセルのサーチを実行しても停止してもよい。このセルサーチ部１４１が、「セル検出部」の一例にあたる。
【００８５】
このように、セルサーチ部１４１は、ＵＥ１００の移動速度に応じてオートノマスサーチの実行頻度を変更する。移動速度が速ければ、ＵＥ１００は、複数のスモールセル１０を次々に移動していく。そのため、移動速度が速い場合、スモールセル１０の検出を行っても検出したタイミングで、ＵＥ１００は、次のスモールセル１０に移動している可能性が高い。そこで、移動速度が速い場合には、スモールセル１０の検出が繰り返されるおそれがあり、無駄な電力消費が発生することが考えられる。そこで、移動速度が速い場合、ＵＥ１００は、スモールセル１０の検出頻度を低減する。これにより、電力消費を抑えることができる。
【００８６】
また、移動速度が遅い場合、ＣＳＧセルエリア３０にＵＥ１００が在圏しなければ、ＵＥ１００は、スモールセル１０を検出する可能性が低い。そのため、この場合、スモールセル１０の検出を行っても、ＵＥ１００は、スモールセル１０を検出することができない可能性が高い。そこで、この場合には、スモールセル１０の検出が繰り返されるおそれがあり、無駄な電力消費が発生することが考えられる。そこで、移動速度が低くＣＳＧセルエリア３０に在圏しない場合、ＵＥ１００は、スモールセル１０の検出頻度を低減する。これにより、電力消費を抑えることができる。
【００８７】
電力測定部４３５は、補正した受信信号の入力を回転補正部４３３から受ける。そして、電力測定部４３５は、受信信号を基に受信信号強度を測定する。そして、電力測定部４３５は、測定結果をＣＰＵ１０５へ送信する。ＣＰＵ１０５は、受信信号強度を保持しておき、セルリセレクションやハンドオーバに用いる。
【００８８】
次に、図８を参照して、ＵＥ１００によるセルサーチ制御の流れについて説明する。図８は、実施例１に係るセルサーチ制御のフローチャートである。
【００８９】
セルサーチ部１４１は、ＵＥ１００がマクロセル２０内に在圏するか否かを判定する（ステップＳ１）。
【００９０】
マクロセル２０内に在圏しない場合（ステップＳ１：否定）、セルサーチ部１４１は、オートノマスサーチを行わず、マクロセル２０及びスモールセル１０を検出する通常サーチを実行する（ステップＳ２）。
【００９１】
これに対して、マクロセル２０内に在圏する場合（ステップＳ１：肯定）、セルサーチ部１３１は、オートノマスサーチエリア内か否かを判定する（ステップＳ３）。
【００９２】
オートノマスサーチエリア内の場合（ステップＳ３：肯定）、チャネル推定部４３１は、スロット内の２つのＲＳであるＲＳ１及びＲＳ２の間における複素回転ベクトルを求める。さらに、回転量推定部４３４は、チャネル推定部４３１により求められた複素回転ベクトルからＲＳ１とＲＳ２との間の回転角θＲＳを求める（ステップＳ４）。そして、回転量推定部４３４は、求めた回転角θＲＳを移動状態判定部４０４へ出力する。
【００９３】
移動状態判定部４０４は、回転量推定部４３４から受信した回転角θＲＳが閾値以上か否かを判定する（ステップＳ５）。そして、移動状態判定部４０４は、判定結果をセルサーチ部１４１へ出力する。
【００９４】
回転角θＲＳが閾値以上の場合（ステップＳ５：肯定）、セルサーチ部１４１は、頻度Ｂでオートノマスサーチを実行し、且つ、マクロセルサーチを実行する（ステップＳ６）。
【００９５】
一方、オートノマスサーチエリアの外の場合（ステップＳ３：否定）及び回転角θＲＳが閾値未満の場合（ステップＳ５：否定）、セルサーチ部１４１は、ＵＥ１００がＣＳＧセルエリア３０内に在圏するか否かを判定する（ステップＳ７）。ＣＳＧセルエリア３０内の場合（ステップＳ７：肯定）、セルサーチ部１４１は、頻度Ａでオートノマスサーチを行う（ステップＳ８）。
【００９６】
これに対して、ＣＳＧセルエリア３０の外の場合（ステップＳ７：否定）、セルサーチ部１４１は、頻度Ｃでオートノマスサーチを実行する（ステップＳ９）。
【００９７】
ここで、図８では、１回のセルサーチに対する制御の流れについて説明したが、図８のフローは、ＵＥ１００の動作が停止するまで繰り返される。
【００９８】
以上に説明したように、本実施例に係る無線通信端末装置は、リファレンス信号のなす回転角から自装置の移動速度を求める。そして、移動速度が速い場合、無線通信端末装置は、オートノマスサーチの実行頻度を下げる。また、移動速度が遅く、且つ、ＣＳＧセルエリア外の場合、無線通信端末装置は、オートノマスサーチの実行頻度を下げる。これにより、消費電力を抑える事ができ、バッテリー消費を抑える事ができる。
【００９９】
（変形例）
実施例１では、１つの閾値を用いて移動状態の判定を行ったが、判定方法はこれに限らない。例えば、回転角の第１閾値及び第１閾値よりも角度の小さい第２閾値を用いて移動状態の判定を行ってもよい。
【０１００】
例えば、第１閾値及び第２閾値を用いて移動状態の判定を行う場合、移動状態判定部４０４は、θＲＳが第１閾値以上の場合、移動速度が高速と判定する。また、θＲＳが第２閾値未満の場合、移動状態判定部４０４は、移動速度が低速と判定する。そして、θＲＳが第２閾値以上第１閾値未満の場合、移動状態判定部４０４は、移動速度が中速と判定する。
【０１０１】
そして、セルサーチ部１４１は、移動速度が低速、中速又は高速のいずれかによって、セルサーチの頻度を変更する。
【０１０２】
例えば、移動速度が中速の場合、セルサーチ部１４１は、オートノマスサーチの頻度を頻度Ａとする。また、移動速度が高速の場合、セルサーチ部１４１は、オートノマスサーチの頻度を頻度Ｂとする。また、移動速度が低速の場合、セルサーチ部１４１は、オートノマスサーチの頻度を頻度Ｃとする。
【０１０３】
さらに、低速の場合に、セルサーチ部１４１は、実施例１と同様にＣＳＧセルエリア内か否かの判定を加えてもよい。
【実施例２】
【０１０４】
次に、実施例２について説明する。本実施例に係る無線通信端末装置は、温度及び電池電圧により隣接ＲＳシンボル間の相関値を求める関数を変更し、さらに、速度の判定方法が実施例１と異なる。本実施例に係る無線通信端末装置も図２〜４で表される。以下では、実施例１と同様の各部の機能については説明を省略する。
【０１０５】
本実施例に係るチャネル推定部４３１は、次の数式（３）で示すＲＳシンボル間の相関値を算出するための関数を記憶している。
【０１０６】
【数３】
2015104087.tif 000005
【０１０７】
ここで、ｔは、温度を表しており、ｖは電池電圧を表している。すなわち、数式（３）は、温度及び電池電圧をパラメータとして含んでいる。
【０１０８】
そこで、チャネル推定部４３１は、温度及び電池電圧のパラメータを変更することで、温度及び電池電圧によって関数を変更する。
【０１０９】
チャネル推定部４３１は、温度及び電池電圧を取得する。ここで、図２〜４では温度センサや電池電圧センサを図示していないが、実際にはそれらがＵＥ１００に設けられており、チャネル推定部４３１は、それらから温度及び電池電圧を取得する。
【０１１０】
そして、チャネル推定部４３１は、取得した温度及び電池電圧の値を数式（３）に代入して、数式（３）を温度及び電池電圧に合わせて変更する。
【０１１１】
次に、チャネル推定部４３１は、アンテナ番号ｂ、スロット番号ｎ及びシンボル番号ｓを温度及び電池電圧に合わせて変更した数式（３）に用いて、ＲＳ１及びＲＳ２間の相関値である複素回転ベクトルを求める。
【０１１２】
回転量推定部４３４は、次の数式（４）を記憶している。数式（４）は、隣接ＲＳシンボル間の相関値を用いて隣接リファレンス信号間の回転角を求める関数である。
【０１１３】
【数４】
2015104087.tif 000006
【０１１４】
回転量推定部４３４は、チャネル推定部４３１から受信した相関値を数式（４）に用いて回転角θＲＳを求める。
【０１１５】
移動状態判定部４０４は、次の数式（５）を記憶している。また、移動状態判定部４０４は、レイリーフェージングの場合の速度判定角テーブル及びドプラ−フェージングの場合の速度判定角テーブルを記憶している。レイリーフェージングとは、反射波だけが受信できる状態で、その反射波がＵＥ１００の移動に伴って変化する状態である。また、ドプラーフェージングとは、ＵＥ１００の移動に伴うドプラ効果によって周波数が変化する状態である。
【０１１６】
【数５】
2015104087.tif 000007
【０１１７】
ここで、ＴＨ＿Ａは、角度の判定に用いるテーブルを決定するための閾値である。
【０１１８】
移動状態判定部４０４は、θＲＳが数式（５）を満たす場合、すなわち、θＲＳの絶対値の２乗がＴＨ＿Ａより大きい場合、レイリーフェージングの場合の速度判定角テーブルを用いて、移動速度が高速か低速かを判定する。
【０１１９】
また、θＲＳが数式（５）を満たさない場合、すなわち、θＲＳの絶対値の２乗がＴＨ＿Ａ以下の場合、移動状態判定部４０４は、ドプラーフェージングの場合の速度判定角テーブルを用いて、移動速度が高速か低速かを判定する。
【０１２０】
ここで、移動状態判定部４０４は、温度及び電源電圧によって、移動速度を判定する閾値を変更してもよい。
【０１２１】
移動状態判定部４０４は、判定結果をセルサーチ部１４１へ通知する。
【０１２２】
セルサーチ部１４１は、実施例１と同様に、移動速度によってオートノマスサーチの実行頻度を変更してセルサーチを行う。
【０１２３】
次に、図９を参照して、ＵＥ１００によるセルサーチ制御の流れについて説明する。図９は、実施例２に係るセルサーチ制御のフローチャートである。
【０１２４】
セルサーチ部１４１は、ＵＥ１００がマクロセル２０内に在圏するか否かを判定する（ステップＳ１０１）。
【０１２５】
マクロセル２０内に在圏しない場合（ステップＳ１０１：否定）、セルサーチ部１４１は、オートノマスサーチを行わず、マクロセル２０及びスモールセル１０を検出する通常サーチを実行する（ステップＳ１０２）。
【０１２６】
これに対して、マクロセル２０に在圏する場合（ステップＳ１０１：肯定）、セルサーチ部３は、オートノマスサーチエリア内か否かを判定する（ステップＳ１０３）。
【０１２７】
オートノマスサーチエリア内の場合（ステップＳ１０３：肯定）、チャネル推定部４３１は、温度及び電池電圧を取得する。そして、チャネル推定部４３１は、記憶しているＲＳシンボル間の相関値を算出するための関数に代入し、スロット内の２つのＲＳ間の相関関係の演算方法を決定する（ステップＳ１０４）。
【０１２８】
次に、チャネル推定部４３１は、決定した演算方法を用いて、スロット内の２つのＲＳであるＲＳ１及びＲＳ２の間における複素回転ベクトルを求める。さらに、回転量推定部４３４は、チャネル推定部４３１により求められた複素回転ベクトルからＲＳ１とＲＳ２との間の回転角θＲＳを求める（ステップＳ１０５）。そして、回転量推定部４３４は、求めた回転角θＲＳを移動状態判定部４０４へ出力する。
【０１２９】
移動状態判定部４０４は、回転量推定部４３４から受信した回転角θＲＳが閾値以上か否かを判定する（ステップＳ１０６）。そして、移動状態判定部４０４は、判定結果をセルサーチ部１４１へ出力する。
【０１３０】
回転角θＲＳが閾値以上の場合（ステップＳ１０６：肯定）、セルサーチ部１４１は、頻度Ｂでオートノマスサーチを実行し、且つ、マクロセルサーチを実行する（ステップＳ１０７）。
【０１３１】
一方、オートノマスサーチエリアの外の場合（ステップＳ１０３：否定）及び回転角θＲＳが閾値未満の場合（ステップＳ１０６：否定）、セルサーチ部１４１は、ＵＥ１００がＣＳＧセルエリア３０内に在圏するか否かを判定する（ステップＳ１０８）。ＣＳＧセルエリア３０内の場合（ステップＳ１０８：肯定）、セルサーチ部１４１は、頻度Ａでオートノマスサーチを行う（ステップＳ１０９）。
【０１３２】
これに対して、ＣＳＧセルエリア３０の外の場合（ステップＳ１０８：否定）、セルサーチ部１４１は、頻度Ｃでオートノマスサーチを実行する（ステップＳ１１０）。
【０１３３】
以上に説明したように、本実施例に係る無線通信端末装置は、温度及び電源電圧の変化によって相関関係を求める関数を変更する。これにより、無線通信端末装置は、温度及び電源電圧によって変化するＲＳ１とＲＳ２との周波数偏差を正確に求めることができ、より正確に移動状態を把握することができる。したがって、無線通信端末装置は、より適切に消費電力を抑える事が可能となる。
【実施例３】
【０１３４】
次に、実施例３について説明する。本実施例に係る無線通信端末装置は、マクロ基地局２のアンテナの数が一般化されていることが実施例２と異なる。本実施例に係る無線通信端末装置も図２〜４で表される。以下では、実施例２と同様の各部の機能については説明を省略する。
【０１３５】
本実施例に係るチャネル推定部４３１は、次の数式（６）で示すＲＳシンボル間の相関値を算出するための関数を記憶している。
【０１３６】
【数６】
2015104087.tif 000008
【０１３７】
ここで、ａは送信アンテナ番号を表している。また、ｂは、受信アンテナ番号を表している。すなわち、数式（６）は、送受信のアンテナ番号をパラメータとして含んでいる。
【０１３８】
そこで、チャネル推定部４３１は、マクロ基地局２のアンテナ本数に応じて送信アンテナ番号及び受信アンテナ番号のパラメータを変更することで関数を変更する。
【０１３９】
チャネル推定部４３１は、マクロ基地局２のアンテナ本数を記憶している。そして、チャネル推定部４３１は、マクロ基地局２のアンテナ本数に応じて数式（６）を変更する。
【０１４０】
チャネル推定部４３１は、アンテナ番号ｂ、スロット番号ｎ及びシンボル番号ｓをアンテナ本数に合わせて変更した数式（６）に用いて、ＲＳ１及びＲＳ２間の相関値である複素回転ベクトルを求める。
【０１４１】
回転量推定部４３４は、次の数式（７）を記憶している。数式（７）は、隣接ＲＳシンボル間の相関値を用いて隣接リファレンス信号間の回転角θＲＳを求める関数である。
【０１４２】
【数７】
2015104087.tif 000009
【０１４３】
回転量推定部４３４は、チャネル推定部４３１から受信した相関値を数式（７）に用いて回転角θＲＳを求める。
【０１４４】
ここで、ｃ（ａ，ｂ，ｎ，ｓ，ｔ，ｖ）は、（ａ，ｂ）の組合せ分のθＲＳが存在する。
【０１４５】
例えば、受信アンテナが２本、送信アンテナが２本の場合、（ａ，ｂ）の組合せは、（１，１），（１，２），（２，２），（２，２）及び（１，２）の４通りの組合せが存在する。しがって、この場合、回転量推定部４３４は、４つのθＲＳを求める。そして、移動状態判定部４０４は、４つのθＲＳからＵＥ１００の移動速度を求める。
【０１４６】
また、例えば、受信アンテナが４本、送信アンテナが４本の場合、（ａ，ｂ）の組合せは、（１，１）〜（１，４），（２，１）〜（２，４），（３，１）〜（３，４）及び（４，１）〜（４，４）の１６通りの組合せが存在する。しがって、この場合、回転量推定部４３４は、１６個のθＲＳを求める。そして、移動状態判定部４０４は、１６個のθＲＳからＵＥ１００の移動速度を求める。
【０１４７】
また、ここでは、実施例２を例に説明したが、実施例１でも同様に、アンテナの数がいくつでもＵＥ１００は動作可能である。
【０１４８】
以上に説明したように、各実施例の無線通信端末装置は、アンテナの数に関らず移動状態を求めてセルサーチの実行頻度を制御することができる。したがって、各実施例の無線通信端末装置は、アンテナの数に関らず消費電力を低減することができる。
【０１４９】
さらに、以上の各実施例では、図１に示す移動通信システムの場合で説明したが、他の移動通信システムの構成でも各実施例に記載した無線通信端末装置は同様の効果を奏することができる。
【０１５０】
例えば、図１０のように、ＣＳＧセルを形成しない移動通信システムであっても、ＵＥ１００は、自装置の移動速度を基にスモールセルのサーチ頻度を変更することで、消費電力を抑える事ができる。図１０は、移動通信システムの他の例を示す図である。
【符号の説明】
【０１５１】
１  スモール基地局
２  マクロ基地局
１０  スモールセル
２０  マクロセル
３０  ＣＳＧセルエリア
１００  無線通信端末装置（ＵＥ）
１０１，１０２  アンテナ
１０３  ＲＦ部
１０４  ベースバンド部
１０５  ＣＰＵ
１０６  アプリケーション用チップ
１０７  外部ＩＦ
１０８  スピーカ／マイク
１０９  ＬＣＤ
１４１  セルサーチ部
１４２  復調部
１４３  デコード部
１４４  変調部
１４５  コーデック部
２０１  ＲＦ−ＩＦ部
２０２  ＩＦ部
２１０  入出力部
４００  判定部
４０１  ＤＦＴ部
４０２  ＦＦＴ部
４０３  ＲＳＲＰ測定部
４０４  移動状態判定部
４３１  チャネル推定部
４３２  時間変動推定部
４３３  回転補正部
４３４  回転量推定部
４３５  電力測定部
【図１】
2015104087.tif 000010
【図２】
2015104087.tif 000011
【図３】
2015104087.tif 000012
【図４】
2015104087.tif 000013
【図５】
2015104087.tif 000014
【図６】
2015104087.tif 000015
【図７】
2015104087.tif 000016
【図８】
2015104087.tif 000017
【図９】
2015104087.tif 000018
【図１０】
2015104087.tif 000019